(57)【特許請求の範囲】
【請求項１】
電力を供給する電源線が接続され、基板外のアースに静電気を逃がして除去するためのアース回路が基板内に設けられた電源基板と、
前記電源基板のアース回路にそれぞれ電気的に接続し、帯電した静電気を集電可能な二つ以上の集電部と、
前記アース回路と前記集電部との間に介在させて前記集電部側に電流が逆流するのを防止する抵抗器からなる逆流防止部材とを有し、
球貸機のグランドが、前記電源基板が接続されたアースにインタフェース基板を介して接続されている遊技機。
【発明の詳細な説明】
【０００１】
【発明の属する技術分野】
本発明は遊技機に関し、帯電した静電気を除去する技術に関する。
【０００２】
【従来の技術】
遊技機の一つであるパチンコ機では、外部から配送されてきたパチンコ球を球タンクに一時的に貯留し、球貸しや賞球の払い出しが生ずると貯留したパチンコ球について所要の個数を払出機構が払い出す。この払い出しの際にパチンコ球が通路を移動するときに床面や壁面その他の部材等と接触して当該パチンコ球や通路，部材等に静電気を帯電する場合に限らず、外部から配送されてきたパチンコ球が初めから静電気を帯電している場合がある。こうして帯電した静電気が蓄積して高電圧になると、パチンコ機に備えた制御基板内のＣＰＵや回路素子等に影響を及ぼして誤動作を招くことがある。かかる誤動作を防止するために従来のパチンコ機では、球タンクや通路等の複数箇所に静電気を集電するための金属板をそれぞれ設け、金属板ごとにアースしていた。また、球貸機や発射装置等では個別にそれぞれアースしていた。
【０００３】
【発明が解決しようとする課題】
しかし、アースしていた金属板や装置等についてそれぞれ電線が必要となることから、電線の長さも長くなってコスト高となった。また、金属板や装置等は通常離れた位置に設けることから配線が複雑となり、パチンコ機の組み立てに時間を要していた。その一方、金属板や装置等に対して電気的に接続する電線を一箇所に集中して接続させたうえでアースする方法が考えられるが、単に集中して接続するとある金属板や装置等で集電した静電気が集中点を経て他の金属板や装置等に向かって逆流することがある。この場合、他のパチンコ球を帯電させたり、装置等を誤動作させ得る結果となる。
本発明はこのような点に鑑みてなされたものであり、部材や装置等に向かって電流が逆流するのを防止しながらも、帯電した静電気を除去することが可能な遊技機を提供することを目的とする。
【０００４】
【課題を解決するための手段１】
課題を解決するための手段１に記載する用語の「集電部」は静電気を集電可能な全ての装置や部材等を意味し、例えば遊技球の通路に備えた装置や導電性部材等が該当する。当該解釈は他の解決手段および発明の詳細な説明についても同様である。
【０００５】
当該手段１によれば、アースに電気的に接続可能なアース部と、アース部にそれぞれ電気的に接続し帯電した静電気を集電可能な二つ以上の集電部と、アース部と集電部との間に介在させて集電部側に電流が逆流するのを防止する逆流防止部材とを備えた。二つ以上の集電部によって集電した静電気は、アース部を経てアースに逃がすことができる。しかも、ある集電部からアース部に流れた電流は逆流防止部材によって他の集電部に逆流することはない。
【０００６】
【課題を解決するための手段２】
課題を解決するための手段２によれば、電力を供給する電源線と、電源線にそれぞれ電気的に接続し帯電した静電気を集電可能な二つ以上の集電部と、電源線と集電部との間に介在させて集電部側に電流が逆流するのを防止する逆流防止部材とを備えた。二つ以上の集電部によって集電した静電気は、電源線に逃がすことができる。しかも、ある集電部から電源線に流れた電流は逆流防止部材によって他の集電部に逆流することはない。さらに、遊技機がアースされていない場合であっても、電源線を経て静電気をより確実に除去することができる。
【０００７】
【課題を解決するための手段３】
課題を解決するための手段３によれば、電源線をアースに電気的に接続可能な電源アース線とする。この接続によって集電部から集電した静電気をアース部を通じてより確実に除去することができる。
【０００８】
【課題を解決するための手段４】
課題を解決するための手段４によれば、遊技機内の各装置に電力を分配する配電部と、配電部のアースに電気的に接続したアース部と、アース部にそれぞれ電気的に接続し帯電した静電気を集電可能な二つ以上の集電部と、アース部と集電部との間に介在させて集電部側に電流が逆流するのを防止する逆流防止部材とを備えた。二つ以上の集電部によって集電した静電気は、アース部を経て配電部のアースに逃がすことができる。しかも、ある集電部からアース部に流れた電流は逆流防止部材によって他の集電部に逆流することはない。
【０００９】
【課題を解決するための手段５】
課題を解決するための手段５は、解決手段１から４のいずれか一つの手段に記載した遊技機において、逆流防止部材には、高く帯電した静電気を集電する集電部にはアレスタを用い、低く帯電した静電気を集電する集電部には抵抗器を用いる。ここで「アレスタ」は二つの電極間に微小ギャップを設けるとともに気体または液体を封入した放電管（回路素子）であって、静電気や落雷等によるサージエネルギー（Surge Energy）を放電する機能を有する。当該解釈は他の解決手段および発明の詳細な説明についても同様である。
【００１０】
当該手段５によれば、高く帯電した静電気を集電する集電部にはアレスタを逆流防止部材として用い、低く帯電した静電気を集電する集電部には抵抗器を逆流防止部材として用いた。アレスタを用いると高く帯電した静電気を効率よく除去することができるので、装置の誤動作をより確実に防止することができる。
【００１１】
【発明の実施の形態】
以下、本発明における実施の形態を図面に基づいて説明する。本実施の形態は遊技機の一つであるパチンコ機に本発明を適用したものであって、図１〜図７を参照しながら説明する。なお、パチンコ機の正面側（遊技者が遊技する側）は本発明の要旨と直接は関係しないので図示および説明を省略する。また、単に「接続」という場合には、電気的な接続を意味する。さらに、単に「電流」という場合には静電気にかかる電流を意味する。
【００１２】
まず、パチンコ機１０の全体構成について図１，図２を参照しながら概略的に説明する。なお、パチンコ機１０は一般的なタイプのものであるので、通常遊技者が遊技する表面側の構成や説明等は省略する。以下の説明では遊技者が遊技する側を表面側と呼び、その反対側を裏面側と呼ぶことにする。
図１に示すパチンコ機１０は、装飾用部材や装飾用ランプ等を備えた表枠１６、遊技盤３０，上皿２０，下皿２４等を備えたベース枠３２、当該ベース枠３２を支持する外枠２８等を有する。表枠１６はガラス１８が表枠本体１４に対して嵌め込み可能に構成し、当該表枠１６の裏面側には剛性を高めるために補強部材１２を取り付ける。その補強部材１２は、静電気を放電する機能を果たすために導電部材（例えば金属板）で形成する。また補強部材１２には複数個の切欠穴を有し、当該切欠穴を通じて装飾用ランプを取り付けや交換ができる。なお、ガラス１８に代えて、透明または半透明のプラスチック部材を用いる場合もある。
【００１３】
ベース枠３２は表枠１６および下板２２をそれぞれ開閉可能に構成するとともに、パチンコ球を用いて遊技する遊技盤３０を取付可能に構成する。当該ベース枠３２は下皿２４やハンドル２６等を備え、下板２２は上皿２０等を備える。
外枠２８は上記ベース枠３２を開閉可能に構成するとともに、後述するように裏面側に備えた球タンク６２や裏セット部材４４等で帯電した静電気を補強部材１２で導くためのヒンジ機構３４等を備える。
その他、パチンコ機１０の横側（図２では図面右側）には投入した金銭に対応する個数のパチンコ球を貸し出す球貸機３６を備える。当該球貸機３６の構成等は周知であるので、詳細な図示および説明を省略する。
【００１４】
図２に移って、パチンコ機１０の裏面側の構成について説明する。ベース枠３２の裏面側に組み付けた支持枠体４０は、遊技盤３０を取付可能に構成する。遊技盤３０を支持枠体４０に取り付けた状態で当該遊技盤３０の裏面側から裏セット部材４４を装着し、裏セット部材４４を締付具により固定する。こうして遊技盤３０を固定する。また、裏セット部材４４はベース枠３２に対して開閉可能に構成するとともに、裏カバー４２，球タンク６２，誘導樋６０，上部払出樋５４，払出装置５２，下部払出樋５０，発射装置４８等を備える。よって遊技盤３０は、裏セット部材４４を開閉することによって着脱や交換等ができる。パチンコ機１０の背面右上部には、電源から供給された電力を各装置に分配する配電盤５８を備える。当該配電盤５８内には後述する電源基板５６を有する。
【００１５】
裏カバー４２は、センター役物などの役物装置や、図柄制御基板（図柄制御ボックス）等を背面側からカバーする。さらに裏カバー４２の背面側には、パチンコ機１０の全体を制御するメイン制御基板や、表示器やランプ等のような発光体の表示を制御する表示制御基板等を備える。配送されてきたパチンコ球は球タンク６２に一時的に貯留した後、誘導樋６０や上部払出樋５４を経て払出装置５２に送る。払出装置５２は上記メイン制御基板からの払出指令を受けて、所要個数のパチンコ球を下部払出樋５０を通じて上皿２０や下皿２４に払い出す。発射装置４８が発射モータＭの回転制御を行なって発射部材４６を往復運動させ、上皿２０から供給されたパチンコ球を遊技盤３０の遊技領域内に打ち出す。
【００１６】
よって、パチンコ球が通る誘導樋６０，上部払出樋５４，下部払出樋５０等のような通路や、パチンコ球が通り得る球タンク６２等の部材、あるいは払出装置５２，発射装置４８等の装置では、当該パチンコ球と接触することによって静電気が発生し得る。帯電した静電気を集電するために、それぞれの通路，部材，装置には集電部材を備える。当該集電部材としては例えば金属板やネジ等を用いるが、材質は導電性・非導電性を問わない。また、各集電部材と電源基板のコネクタ（あるいは端子）との間には、リード線や金属線等を用いて静電気を導くための適切な電気配線がなされている。
【００１７】
上述のように構成したパチンコ機１０において、パチンコ球が通る通路や部材，装置等に帯電した静電気を除去するための態様例について図３〜図７を参照しながら説明する。当該図３〜図７において同一の要素には同一の符号を付す。各態様で共通するのは、アースに接続可能であって当該アース等に静電気を逃がして除去するためのアース回路８２を電源基板５６内に設けている点である。
【００１８】
（１）第１態様は、ある部材や装置等から流れてきた静電気を他の部材や装置等に流れるのを防止する逆流防止素子を備えた態様である。図３の例に示す電源基板５６は、電源から供給された交流（例えば２４ボルト）をコネクタ７０ａを通じて入力して直流（例えば５ボルトや１２ボルト）に変換してコネクタ７４を通じて出力する安定化電源回路７２と、球貸機３６，裏セット部材４４，発射装置４８，球タンク６２等で生じた静電気を逃がすアース回路８２とを備える。球貸機３６はコネクタ９４を介して接続し、裏セット部材４４はコネクタ９６を介して接続し、発射装置４８はコネクタ９８を介して接続し、球タンク６２はコネクタ１００を介して接続する。コネクタ９４，９６，９８，１００には、例えば１ピンタイプのコネクタを用いる。
【００１９】
アース回路８２と球貸機３６との間には、当該球貸機３６側に向かって電流が逆流するのを防止する逆流防止素子８６を介在させる。同様にして、アース回路８２と裏セット部材４４との間には逆流防止素子８８を介在させ、アース回路８２と発射装置４８との間には逆流防止素子９０を介在させ、アース回路８２と球タンク６２との間には逆流防止素子９２を介在させる。当該アース回路８２はコネクタ７８を通じてアース（グランド）Ｇ２に接続し、必要に応じてさらにコネクタ７９を通じてアースＧ３に接続する。二以上のアースに接続可能になっていると（例えばアースＧ２を接地とし、アースＧ３を島設備のグランドとすると）、少なくとも一つのアースに接続されていれば静電気を確実に除去できる。なお、電源基板５６と球貸機３６との間にインタフェース基板を介在させる場合には、上記アースＧ２，Ｇ３とインタフェース基板内のアースとを接続して球貸機３６から静電気を逃がす構成としてもよい。
また、電源線７６ａとアース回路８２との接続は、アース回路８２側に向かって電流が逆流するのを防止する逆流防止素子８０を介在させた。さらに必要に応じて、アース回路８２と電源基板５６のアースＧ４との接続は、アース回路８２側に向かって電流が逆流するのを防止する逆流防止素子８４を介在させた。
【００２０】
逆流防止素子８０，８４，８６，８８，９０，９２には、電流の逆流を防止可能な回路素子（例えば抵抗器，アレスタ，バリスタ，コイル，メカギャップ等）を用いる。例えば、比較的静電気が高く帯電しやすい裏セット部材４４と接続する逆流防止素子８８にはサージエネルギーを効果的に低減するアレスタを用いるとよく、比較的静電気が低く帯電し得る球貸機３６，発射装置４８，球タンク６２とそれぞれ接続する逆流防止素子８６，９０，９２には抵抗器を用いるのがよい。アレスタの抵抗値Ｒ２と抵抗器の抵抗値Ｒ４とをほぼ同じ（すなわちＲ２≒Ｒ４）にするのが逆流を防止する点で望ましい。逆流防止素子８０に用いるアレスタの抵抗値Ｒ６は、電源線に向けて電流が流れやすくするために逆流防止素子８６等の抵抗値以下のもの（すなわちＲ６≦Ｒ２，Ｒ４）を用いるのがよい。
なお、抵抗器，アレスタ，バリスタ，コイル，メカギャップ等のような回路素子を用いた場合には上記逆流防止効果の他に、突入（ピーク）時の電流値を低く抑えることもできる。また、抵抗器には巻線型の抵抗器を用いるのがよく、さらに巻線のギャップを封止したタイプの抵抗器を用いるのが望ましい。巻線型の抵抗器等を用いると、突入時などで当該抵抗器から放電するのを防止できる。
【００２１】
よって第１態様の電源基板５６によれば、球貸機３６，裏セット部材４４，発射装置４８，球タンク６２等で集電した静電気を逆流防止素子およびアース回路８２を通じてアースＧ２に逃がすことができる。また、アース回路８２に流れてきた電流は逆流防止素子によって部材や装置等に逆流することがない。さらに、アース回路８２がアースＧ２に接続されていないために当該アースＧ２に静電気を逃がすことができない場合であっても、逆流防止素子８０を介して電源線７６ａに逃がしたり、逆流防止素子８４を介してアースＧ４に逃がすことができる。また、逆流防止素子８０をアース回路８２に接続したことによって、電源から電源線を通じて流れてきたサージエネルギーをアースＧ２に逃がすこともできる。よって電源基板５６の損傷を防止することができる。
【００２２】
（２）第２態様は、上述した第１態様の一部を変更した態様である。図３の例に示す電源基板５６と比べて図４の例に示す電源基板５６は、逆流防止素子８０を電源アース線７６ｂとアース回路８２との間に接続した点が異なる。すなわち電力を供給する電源線にはアースＧ６と接続する電源アース線７６ｂを含み、電源基板５６は三端子用のコネクタ７０ｂを通じて電源の供給を受ける場合に適用できる。よって第２態様の電源基板５６によれば、集電した静電気をアース回路８２，逆流防止素子８０，電源アース線７６ｂを通じてアースＧ６に逃がすことができる。
【００２３】
（３）第３態様もまた上述した第１態様の一部を変更した態様である。図３の例に示す電源基板５６と比べて図５の例に示す電源基板５６は、逆流防止素子８０を切換回路７６ｃとアース回路８２との間に接続した点が異なる。当該切換回路７６ｃ（切換手段）は、電力を供給する二本の電源線のうちアース側に接地した一方の電源線に切り換えて接続する機能を備える。なお切換回路７６ｃの具体的な回路構成は周知であるので、図示および説明を省略する。
よって第３態様の電源基板５６によれば、集電した静電気をアース回路８２，逆流防止素子８０を通じてアースに接地した電源線に逃がすことができる。
【００２４】
（４）第４態様は集電した静電気をアースに逃がす第１態様に加えて、放電部材としての補強部材１２を通じて当該静電気を放電する態様である。図６の例に示す電源基板５６は、電源線とアース回路８２との間を逆流防止素子で接続しない点を除いて、図３の例に示す電源基板５６とほぼ同様である。その一方、球貸機３６，裏セット部材４４，発射装置４８，球タンク６２はそれぞれ補強部材１２と接続する。なお、必要に応じて補強部材１２と球貸機３６との間には、当該球貸機３６側に向かって電流が逆流するのを防止する逆流防止素子１０２を介在させてもよい。同様にして、補強部材１２と裏セット部材４４との間には逆流防止素子１０４を介在させてもよく、補強部材１２と発射装置４８との間には逆流防止素子１０６を介在させてもよく、補強部材１２と球タンク６２との間には逆流防止素子１０８を介在させてもよい。
よって第４態様の電源基板５６によれば、集電した静電気を逆流防止素子およびアース回路８２を通じてアースＧ２に逃がすことができる。また、アースＧ２から静電気を逃がすことができない場合であっても、補強部材１２によって静電気を放電させることができる。
【００２５】
（５）第５態様は、上述した第４態様の一部を変更した態様である。図６の例に示す電源基板５６と比べて図７の例に示す電源基板５６は、逆流防止素子８０を電源線７６ａとアース回路８２との間に接続するとともに、補強部材１２をコネクタ１１２を通じてアース回路８２に直接接続した点が異なる。
よって第５態様の電源基板５６によれば、集電した静電気を逆流防止素子およびアース回路８２を通じてアースＧ２に逃がすことができる。また、アース回路８２に流れてきた電流は逆流防止素子によって部材や装置等に逆流することがない。さらに、アースＧ２から静電気を逃がすことができない場合であっても、補強部材１２によって静電気を放電させることができる。
【００２６】
上述した実施の形態によれば、以下に示す効果を得ることができる。
（１）第１態様を例にすると、アースＧ２に接続可能なアース回路８２（アース部）と、アース回路８２にそれぞれ接続し帯電した静電気を集電する球貸機３６，裏セット部材４４，発射装置４８，球タンク６２（二つ以上の集電部）と、アース回路８２と部材や装置等との間に逆流防止素子８６，８８，９０，９２（逆流防止部材）とを備えた｛図３を参照｝。球貸機３６，裏セット部材４４，発射装置４８，球タンク６２によって集電した静電気は、アース回路８２を経てアースＧ２に逃がすことができる。しかも、アース回路８２に流れた静電気（電流）は逆流防止素子によって他の部材や装置等に逆流することはない。
（２）第１態様を例にすると、アース回路８２と電力を供給する電源線７６ａとの接続には逆流防止素子８０を介在させた｛図３を参照｝。球貸機３６，裏セット部材４４，発射装置４８，球タンク６２によって集電した静電気は、電源線７６ａに逃がすことができる。さらに、パチンコ機１０自体がアースされていなくても、電源線７６ａを経て静電気をより確実に除去することができる。
【００２７】
（３）第２態様を例にすると、アースＧ６に接続した電源アース線７６ｂを電源線に含み、電源アース線７６ｂとアース回路８２と接続には逆流防止素子８０を介在させた｛図４を参照｝。この接続によって球貸機３６，裏セット部材４４，発射装置４８，球タンク６２から集電した静電気を電源線に含まれる電源アース線７６ｂを通じてより確実に除去することができる。
（４）第１態様を例にすると、パチンコ機１０内の各装置に電力を分配する電源基板５６（配電部）と、電源基板５６内のアースＧ４に接続可能なアース回路８２（アース部）とを備えた｛図３を参照｝。球貸機３６，裏セット部材４４，発射装置４８，球タンク６２によって集電した静電気は、アース回路８２を経て電源基板５６内のアースＧ４に逃がすことができる。しかも、アース回路８２に流れた静電気（電流）は逆流防止素子８６，８８，９０，９２によって他の部材や装置等に逆流することはない。
【００２８】
（５）第１態様を例にすると、裏セット部材４４に接続する逆流防止素子８８にはアレスタを用い、球貸機３６，発射装置４８，球タンク６２とそれぞれ接続する逆流防止素子８６，９０，９２には抵抗器を用いた。アレスタを用いると高く帯電した静電気を効率よく除去することができるので、装置の誤動作をより確実に防止することができる。
（６）その他、上述した第１態様から第５態様のうち二つ以上の態様を任意に組み合わせてもよい。こうすれば、各態様に応じた効果を得ることができる。
【００２９】
〔他の実施の形態〕
上述したパチンコ機１０（遊技機）において、他の部分の構造，形状，大きさ，材質，配置および動作条件等については、上記実施の形態に限定されるものでない。例えば、上記実施の形態を応用した次の各形態を実施することもできる。
（１）上記実施の形態では、パチンコ機１０に本発明を適用した。この形態に代えて、パチンコ機以外であって遊技球を用いて遊技する他の遊技機（例えばアレンジボール機，雀球遊技機，パチスロ機等）や、遊技球を用いないで遊技する他の遊技機（例えばスロットマシン，テレビゲーム機等）であっても静電気を発生し得るものにも同様に本発明を適用することができる。他の遊技機であっても、二つ以上の集電部によって集電した静電気を除去することができ、しかもある集電部から流れた電流は逆流防止部材によって他の集電部に逆流することはない。
【００３０】
（２）上記実施の形態では、アース回路８２や逆流防止素子８０，８４，８６，８８，９０，９２等を一つの基板（電源基板５６）内に備えた。この形態に代えて、アース回路８２や逆流防止素子８０，８４，８６，８８，９０，９２等を複数の基板に分散して備えてもよい。分散態様の例について以下に示す。このように複数の基板に分散させた場合であっても、上記実施の形態と同様の効果を奏する。また、中継基板を集電部の近くに配置することにより、中継基板と集電部との間を短い接続ケーブルで接続することができるので、配線が容易になる。
（２ａ）例えば図８に示すように、電源基板５６以外の中継基板１２０にアース回路８２および逆流防止素子８０，８６，８８，９０，９２を備える。電源基板５６と中継基板１２０との間をコネクタ１１４，１１６や接続ケーブルを介して接続する。ここで、電源線７６ａとアース回路８２との間に介在させる逆流防止素子８０は、実線で示すように中継基板１２０のみに備えてもよく、二点鎖線で示すように電源基板５６のみに備えてもよく、双方に備えてもよい。
（２ｂ）例えば図９に示すように、中継基板１２０にアース回路８２および逆流防止素子８０，８６，８８を備え、中継基板１３０にアース回路８２および逆流防止素子９０，９２を備える。電源基板５６と中継基板１２０との間の接続は（２ａ）と同様である。中継基板１２０と中継基板１３０との間はコネクタ１２２，１２４や接続ケーブルを介して接続し、アース回路８２を構成する。
【００３１】
（３）上記実施の形態では、アース回路８２および逆流防止素子８０，８６，８８，９０，９２を電源基板５６に備えたが、任意の基板（メイン制御基板や表示制御基板等）や、基板に含まれないような端子板や回路素子等に備えた場合であっても本発明を実現することができる。また、逆流防止素子８０，８６，８８，９０，９２としてアレスタまたは抵抗器を適用したが、静電気等のサージエネルギーを減少または吸収可能な他の任意の回路素子を適用してもよい。これらの場合であっても、実施の形態と同様の効果を奏する。
【００３２】
（４）上記実施の形態では、集電部として球貸機３６，裏セット部材４４，発射装置４８，球タンク６２を適用した。この形態に代えて（あるいは加えて）、パチンコ機１０に備える部材または装置等であってパチンコ球との接触による静電気が発生したり帯電し得るものにも集電部として同様に適用することができる。この場合であっても、実施の形態と同様の効果を奏する。
【００３３】
（５）上記実施の形態では、電源基板５６や中継基板１２０，１３０にアースに接続するためのコネクタを備えた（図３等を参照）。この形態に代えて（あるいは加えて）、搬入したパチンコ機を遊技場内の島等に設置する際に隣同士のパチンコ機が接触可能な導電性部材をパチンコ機の側面に設け、当該導電性部材を上記コネクタの代わりとして用いるとよい。隣同士のパチンコ機が接触可能になるような導電性部材としては、例えば金属片を撓めて弾性を持たせた状態で設けたものが望ましい。こうすれば島等の所要位置にパチンコ機を単に設置するだけで複数のパチンコ機について共通するアース回路を形成できる。よって当該アース回路をアースする際には少なくとも一つ（例えば端側）のパチンコ機からアースすればよく、複数のパチンコ機で帯電した静電気を除去することができる。
【００３４】
【発明の効果】
本発明によれば、二つ以上の集電部によって集電した静電気を除去することができ、しかもある集電部から流れた電流は逆流防止部材によって他の集電部に逆流することはない。
【図面の簡単な説明】
【図１】パチンコ機の外観を示す斜視図である。
【図２】パチンコ機の背面図である。
【図３】電源基板の概略構成を示すブロック図である。
【図４】電源基板の概略構成を示すブロック図である。
【図５】電源基板の概略構成を示すブロック図である。
【図６】電源基板の概略構成を示すブロック図である。
【図７】電源基板の概略構成を示すブロック図である。
【図８】電源基板および中継基板の概略構成を示すブロック図である。
【図９】電源基板および中継基板の概略構成を示すブロック図である。
【符号の説明】
１０  パチンコ機（遊技機）
３６  球貸機（集電部）
４４  裏セット部材（集電部）
４８  発射装置（集電部）
５６  電源基板
６２  球タンク（集電部）
７６ａ  電源線
７６ｂ  電源アース線
７６ｃ  切換回路（切換手段）
８０，８４，８６，８８，９０，９２，１０２，１０４，１０６，１０８  逆流防止素子
８２  アース回路（アース部）
１２０，１３０  中継基板
Ｇ２，Ｇ３，Ｇ４，Ｇ６  アース
【図１】
0004250302.tif 000002
【図２】
0004250302.tif 000003
【図３】
0004250302.tif 000004
【図４】
0004250302.tif 000005
【図５】
0004250302.tif 000006
【図６】
0004250302.tif 000007
【図７】
0004250302.tif 000008
【図８】
0004250302.tif 000009
【図９】
0004250302.tif 000010